(57)【特許請求の範囲】
【請求項１】
第一部材と第二部材とを枢着するヒンジ装置であって、第一部材若しくは第二部材に連結される第一連結体の軸受部に、第二部材若しくは第一部材に連結される第二連結体の枢着軸を回動自在に枢着し、この枢着軸にこの枢着軸と共に回動する圧接部を設け、この圧接部が回動することで圧接する受部を前記第一連結体に設けて、この圧接部と受部との圧接力によって前記枢着軸の回動作動に抵抗が生じるように構成し、前記第一連結体は板材により構成して、この板材の一端部に前記軸受部を設け、この第一連結体としての板材から軸受部の左右に並設状態にして切り出し片を切り出し形成し、この左右の切り出し片の先端部を略Ｖ字状に屈曲形成してこの屈曲先端部を前記受部とし、この軸受部に枢着される前記枢着軸の二箇所に、軸受部を挟むようにして前記圧接部を設けて、この圧接部と受部とが近接状態に配設されるように構成し、この受部としての屈曲切り出し片の弾性により受部と前記圧接部との圧接状態が維持されて前記枢着軸に回動抵抗が付与されると共に、この受部の弾性による回動抵抗に抗して枢着軸を回動し得るように構成し、前記第一部材と前記第二部材とが開いた状態から、第一部材に対して第二部材を閉じるように回動させると、第一部材に対して第二部材が完全に重合閉塞してしまう少し手前の位置で前記圧接部が前記受部に圧接して前記枢着軸に回動抵抗が生じるように構成し、この回動抵抗に抗して第一部材に対して第二部材を重合閉塞させることができ、又はこの回動抵抗に抗して重合閉塞している第一部材と第二部材とを開くことができるように構成したことを特徴とするヒンジ装置。
【請求項２】
前記枢着軸に前記圧接部として突起を設け、この突起が回動することで圧接する前記受部を前記第一連結体に突設したことを特徴とする請求項１記載のヒンジ装置。
【請求項３】
前記第一連結体は板材により構成して、この板材の一端部に前記軸受部を設け、この第一連結体としての板材に軸受部と並設状態となるようにして切り出し片を形成し、この切り出し片の先端部を屈曲形成してこの屈曲先端部を前記受部とし、前記軸受部に枢着される枢着軸の軸着部分の近傍に前記圧接部としてカムを設けて、この軸受部に枢着軸を枢着した際カムと前記受部とが近接状態に配設されるように構成し、この枢着軸の回動により圧接部としてのカムが回動すると、このカムの偏心突起が近接する前記受部に圧接するように構成したことを特徴とする請求項１，２のいずれか１項に記載のヒンジ装置。
【発明の詳細な説明】
【０００１】
【発明の属する技術分野】
本発明は、例えば、ノート型と称されるパソコンやワープロなどにおける本体（第一部材）と開閉体（第二部材）とを起伏開閉自在に枢着するために使用されるヒンジ装置に関するものである。
【０００２】
【従来の技術及び発明が解決しようとする課題】
ノート型と称されるパソコンやワープロは、本体に対して開閉体（ディスプレイ部）がヒンジ装置を介して起伏開閉自在に設けられている。
【０００３】
また、従来からこのノート型機器には、開閉体を本体に伏した閉塞状態で開閉体が勝手に開いてしまうことがないように、この閉塞状態を維持する閉塞装置が組み込まれている。この閉塞装置としては、所謂ラッチと称されるロック・解除可能な装置が用いられることが一般的であり、開閉体を閉じるとこのラッチによって自動的に閉塞状態がロックされ、使用時にはこのラッチを解除することで開閉体を開くことができる構造となっている。
【０００４】
しかし、開閉体を開く際にラッチを解除することは以外と煩わしく、本発明者は、このラッチなどの閉塞装置を用いることなく本体と開閉体との閉塞状態を維持できないものかと着眼した。
【０００５】
そして、本発明者は、この着眼点に基づいて試行錯誤し商品開発を進めた結果、本体（第一部材）に対し開閉体（第二部材）を閉じた状態ではヒンジ装置に回動抵抗が生じるように構成することにより、閉塞装置を用いることなく本体（第一部材）に対し開閉体（第二部材）を閉塞状態に維持できて、開くときの煩わしいロック解除操作は不要となり、また、これにより閉じる手前の位置でも回動作動に抵抗が付与されて閉じる際の衝撃が極めて良好に緩衝されることになる画期的なヒンジ装置を完成させるに至った。
【０００６】
【課題を解決するための手段】
添付図面を参照して本発明の要旨を説明する。
【０００７】
第一部材１と第二部材２とを枢着するヒンジ装置であって、第一部材１若しくは第二部材２に連結される第一連結体３の軸受部４に、第二部材２若しくは第一部材１に連結される第二連結体５の枢着軸６を回動自在に枢着し、この枢着軸６にこの枢着軸６と共に回動する圧接部７を設け、この圧接部７が回動することで圧接する受部８を前記第一連結体３に設けて、この圧接部７と受部８との圧接力によって前記枢着軸６の回動作動に抵抗が生じるように構成し、前記第一連結体３は板材により構成して、この板材の一端部に前記軸受部４を設け、この第一連結体３としての板材から軸受部４の左右に並設状態にして切り出し片９を切り出し形成し、この左右の切り出し片９の先端部を略Ｖ字状に屈曲形成してこの屈曲先端部を前記受部８とし、この軸受部４に枢着される前記枢着軸６の二箇所に、軸受部４を挟むようにして前記圧接部７を設けて、この圧接部７と受部８とが近接状態に配設されるように構成し、この受部８としての屈曲切り出し片９の弾性により受部８と前記圧接部７との圧接状態が維持されて前記枢着軸６に回動抵抗が付与されると共に、この受部８の弾性による回動抵抗に抗して枢着軸６を回動し得るように構成し、前記第一部材１と前記第二部材２とが開いた状態から、第一部材１に対して第二部材２を閉じるように回動させると、第一部材１に対して第二部材２が完全に重合閉塞してしまう少し手前の位置で前記圧接部７が前記受部８に圧接して前記枢着軸６に回動抵抗が生じるように構成し、この回動抵抗に抗して第一部材１に対して第二部材２を重合閉塞させることができ、又はこの回動抵抗に抗して重合閉塞している第一部材１と第二部材２とを開くことができるように構成したことを特徴とするヒンジ装置に係るものである。
【０００８】
また、前記枢着軸６に前記圧接部７として突起７Ａを設け、この突起７Ａが回動することで圧接する前記受部８を前記第一連結体３に突設したことを特徴とする請求項１記載のヒンジ装置に係るものである。
【０００９】
また、前記第一連結体３は板材により構成して、この板材の一端部に前記軸受部４を設け、この第一連結体３としての板材に軸受部４と並設状態となるようにして切り出し片９を形成し、この切り出し片９の先端部を屈曲形成してこの屈曲先端部を前記受部８とし、前記軸受部４に枢着される枢着軸６の軸着部分の近傍に前記圧接部７としてカム７を設けて、この軸受部４に枢着軸６を枢着した際カム７と前記受部８とが近接状態に配設されるように構成し、この枢着軸６の回動により圧接部７としてのカム７が回動すると、このカム７の偏心突起７Ａが近接する前記受部８に圧接するように構成したことを特徴とする請求項１，２のいずれか１項に記載のヒンジ装置に係るものである。
【００１０】
【発明の実施の形態】
好適と考える本発明の実施の形態（発明をどのように実施するか）を、図面に基づいてその作用効果を示して簡単に説明する。
【００１１】
第一部材１と第二部材２とが開いた状態から、第一部材１に対して第二部材２を閉じるように回動させると、第一部材１と第二部材２とが重合閉塞する手前の位置で、軸受部４若しくは枢着軸６に設けた圧接部７が第二連結体５若しくは前記第一連結体３に設けた受部８に圧接して枢着軸６に回動抵抗が生じる。
【００１２】
従って、閉じる手前で回動抵抗が生じるために、閉じた時の衝撃が極めて良好に緩衝されることになり、例えばノート型のパソコンやワープロなどのヒンジ装置として本発明品を使用すれば、勢い良く本体（第一部材１）に開閉体（第二部材２）が叩き付けられて破損したりすることが確実に防止されることになる。
【００１３】
この回動抵抗に抗して第一部材１若しくは第二部材２を手で動かせば、この第一部材１と第二部材２とを重合閉塞状態とすることができる。
【００１４】
また、この重合閉塞した状態の第一部材１と第二部材２とを開こうとする際にも、圧接部７が受部８に圧接して枢着軸６に回動抵抗が生じることとなる。
【００１５】
従って、簡単に第一部材１と第二部材２とが開いてしまうようなことはなく、圧接部７と受部８との圧接力により重合閉塞状態が維持されることになる。
【００１６】
この回動抵抗に抗して第一部材１若しくは第二部材２を手で動かせば、第一部材１と第二部材２とを開くことができる。
【００１７】
よって、例えば、ノート型のパソコンやワープロなどのヒンジ装置として本発明品を使用すれば、従来品のようにラッチなどの閉塞装置を用いることなく本体（第一部材１）に対し開閉体（第二部材２）を閉塞状態に維持できることになるので、これにより開くときの煩わしいロック解除操作は不要で、この回動抵抗に抗して第一部材１若しくは第二部材２を手で動かすだけの操作で第一部材１と第二部材２とを開くことができる開閉操作性に秀れた構造の製品を実現できることになる。
【００１８】
【実施例】
本発明の具体的な実施例について図面に基づいて説明する。
【００１９】
本実施例は、図１に示すようにノート型パソコンに適用した場合を示したもので、本体部を第一部材１とし、開閉部（ディスプレイ部）を第二部材２とし、本体部１と開閉部２とが重合した閉塞状態から開閉部２を回動起動した開放状態（使用状態）とすることができる枢着構造に本発明のヒンジ装置を適用している。尚、図面ではヒンジ装置をノート型パソコンの左右二箇所に設けた場合を示している。
以下、具体的に説明すると、図１〜図６は第一実施例（本発明の実施例）、図７は第二構成例を示している。
【００２０】
第一実施例について説明する。
【００２１】
本実施例は、本体部１の後部に連結される第一連結体３と、開閉部２の下部に連結される第二連結体５とを回動自在に枢着した構成としている。
【００２２】
具体的に説明すると、第一連結体３は、略長方形状を呈する板材（例えば金属板）により構成し、この板材の長さ方向の一端側（図２における上端側）をこの長さ方向に沿って三つに切断し、この三つの切り出し片９のうち、図３に示すように中央の切り出し片９の先端を円筒状に折曲形成してこの先端円筒部を軸受部４としている。
【００２３】
また、第二連結体５も、略長方形状を呈する板材（例えば金属板）により構成し、この板材の一端側（図２における下端側）に枢着軸６を、この枢着軸６の軸方向が第二連結体５の長さ方向と直交する方向となるようにして付設固定している。
【００２４】
そして、前記第一連結体３の筒状の軸受部４に、第二連結体５の枢着軸６を嵌挿することで第一連結体３に対して第二連結体５を回動自在に枢着した構成としている。
【００２５】
また、本実施例では、軸受部４と枢着軸６とに摩擦抵抗（回動抵抗）を生じる構成とし、この回動抵抗により本体部１に対して開閉部２を所望位置でストップできるフリーストップ構造を実現している。図中符号12は軸受部４と枢着軸６との間に介在するカラーである。
【００２６】
本実施例では、この枢着軸６にこの枢着軸６と共に回動する圧接部７を設け、この圧接部７が回動することで圧接する受部８を前記第一連結体３に設けて、この圧接部７と受部８との圧接力によって前記枢着軸６の回動作動に抵抗が生じるように構成している。
【００２７】
具体的に説明すると、軸受部４に軸支される枢着軸６のこの軸支部分の近傍に前記圧接部７を設けている。更に詳しくは、図２，図３に示すように、軸受部４を挟むようにして枢着軸６の二箇所に圧接部７を設け、この二箇所の圧接部７が、夫々前記第一連結体３の左右の切り出し片９に臨設するように構成している。
【００２８】
また、本実施例の圧接部７は、偏心カム７を採用し、このカム７の偏心突起７Ａが前記受部８に圧接することとなるように構成している。
【００２９】
受部８は、前記第一連結体３の一端側に形成された三つの前記切り出し片９のうち、左右の切り出し片９の先端部に設けている。
【００３０】
更に詳しくは、この左右の切り出し片９の先端部を断面略Ｖ字状に屈曲形成してこの屈曲先端部を前記受部８としている。
【００３１】
即ち、軸受部４に枢着軸６を枢着すると、カム７と受部８とが近接状態に配設されるように構成し、この枢着軸６の回動によりカム７が回動すると、このカム７の偏心突起７Ａが近接する前記受部８に圧接するように構成している。
【００３２】
また、この際、受部８としての屈曲切り出し片９の弾性により受部８と前記圧接部７との圧接状態が維持されて前記枢着軸６に回動抵抗が付与されると共に、この受部８の弾性による回動抵抗に抗して枢着軸６を回動し得るように構成している。
【００３３】
尚、本実施例では、上記のように受部８を第一連結体３に一体に設けた場合を示しているが、例えば第一連結体３に別の部材を付設し、この別部材に受部８を設けることで、第一連結体３から受部８を突設する構成としても良い。また、受部８は、図示した場合と逆方向に切り出し片９の先端部を屈曲形成して構成しても良いし、その他の構造としても良い。
【００３４】
また、本実施例では、前記本体部１に対し前記開閉部２が重合閉塞する手前の位置で受部８に圧接して枢着軸６に回動抵抗が生じ、又は重合閉塞した状態の本体部１に対して開閉部２を開こうとする際に受部８に圧接して枢着軸６に回動抵抗が生じるように構成している。
【００３５】
具体的には、図４に示すように本体部１に対して開閉部２が開いた状態では、全く圧接部（カム）７の突起７Ａが受部８に接触することがなく、この状態から、開閉部２を閉じるように回動させると、図５に示すように本体部１に開閉部２が完全に重合閉塞してしまう少し手前の位置で枢着軸６と共に回動するカム７の突起７Ａが受部８に圧接して前記枢着軸６に回動抵抗が生じるように、カム７の突起７Ａが存する位置を設定構成し、この回動抵抗に抗して本体部１に対し開閉部２を重合閉塞させることができるように構成している。
【００３６】
また、このような圧接部７と受部８との圧接構造とすることにより、図６に示すように回動抵抗に抗して重合閉塞している本体部１と開閉部２とを開く際にも必然的に圧接部７と受部８とが圧接して枢着軸６に回動抵抗を生じることになり、これにより簡単に開閉部２が開くことはなく、且つ例えば手で開くなどして開閉部２を動かすことで開閉部２を開放することができる構成としている。
【００３７】
図中符号10は本体部１と開閉部２に第一連結体３と第二連結体５とを固定するためのビス、11はビス穴である。
【００３８】
第二構成例について説明する。
【００３９】
本構成例は、前記第一実施例において、第一連結体３の一端側に設けた三つの切り出し片９のうち、左右の切り出し片９の先端を円筒状に折曲形成してこの左右の先端円筒部を軸受部４とし、中央の切り出し片９の先端部を断面略Ｖ字状に屈曲形成してこの屈曲先端部を受部８とした場合である。
【００４０】
また、この受部８の形成位置に対応して、前記枢着軸６には、左右の軸受部４に挟まれた中央部分の一箇所に圧接部７（カム）を設けている。
【００４１】
この第二構成例の構造によっても、前記第一実施例と同様の作用効果が得られる。
【００４２】
その他の構成は前記第一実施例と同様である。
【００４３】
尚、本発明は、本実施例に限られるものではなく、各構成要件の具体的構成は適宜設計し得るものである。
【００４４】
【発明の効果】
本発明は上述のように構成したから、第一部材と第二部材とを閉じる手前で回動抵抗が生じるために、閉じた時の衝撃が極めて良好に緩衝されることになり、また、重合閉塞した状態の第一部材と第二部材とを開こうとする際にも枢着軸に回動抵抗が生じることとなる。
【００４５】
従って、例えばノート型のパソコンやワープロなどのヒンジ装置として本発明品を使用した場合には、勢い良く本体（第一部材）に開閉体（第二部材）が叩き付けられて破損したりすることが確実に防止され、且つ重合閉塞状態が維持されて簡単には開かないので、実質的にラッチなどの閉塞装置は不要で開くときのロック解除操作が不要となる製品を実現できることになる極めて実用性に秀れた画期的なヒンジ装置となる。
【００４６】
しかも、本発明は、前記作用効果を確実に発揮する圧接部と受部との圧接構造を簡易に設計実現可能であり、更に、本発明の受部は単に第一連結体としての板材から切り出した切り出し片の先端を屈曲形成するだけの構成であるため、極めて容易に構成可能であるなど一層実用性に秀れたヒンジ装置となる。
【００４７】
また、請求項２記載の発明においては、前記作用効果を確実に発揮する圧接部と受部との圧接構造を簡易に設計実現可能となる一層実用性に秀れたヒンジ装置となる。
【００４８】
また、請求項３記載の発明においては、前記作用効果を確実に発揮する圧接部と受部との圧接構造を簡易に設計実現可能となり、更に、本発明の圧接部は枢着軸に偏心カムを設けるだけで構成できるし、受部も単に板材から切り出した切り出し片の先端を屈曲形成する構成のため、いずれも極めて容易に構成可能であるなど一層実用性に秀れたヒンジ装置となる。
【図面の簡単な説明】
【図１】  第一実施例の使用状態の説明斜視図である。
【図２】  第一実施例を示す拡大説明平面図である。
【図３】  第一実施例の使用状態における部分拡大説明図である。
【図４】  第一実施例の使用状態における本体部に対して開閉部を開放した状態を示す部分拡大説明図である。
【図５】  図４の状態から開閉部を伏動させることで、開閉部が本体部を重合閉塞する少し手前の位置にある状態を示す部分拡大説明図である。
【図６】  図５の状態から開閉部を更に伏動させて、開閉部が本体部を重合閉塞した状態を示す部分拡大説明図である。
【図７】  第二構成例の使用状態における部分拡大説明図である。
【符号の説明】
１  第一部材
２  第二部材
３  第一連結体
４  軸受部
５  第二連結体
６  枢着軸
７  圧接部（カム）
７Ａ  突起
８  受部
９  切り出し片
【図１】
0003668435.tif 000002
【図２】
0003668435.tif 000003
【図３】
0003668435.tif 000004
【図４】
0003668435.tif 000005
【図５】
0003668435.tif 000006
【図６】
0003668435.tif 000007
【図７】
0003668435.tif 000008